(57)【要約】【課題】緊急警報放送の情報が必要な地域に存在する端末装置に緊急警報放送の情報を送信する受信装置及びリモート視聴方法を提供する。【解決手段】受信装置は、緊急警報放送を受信して、ペアリングされた端末装置に緊急警報放送の情報を送信する。この受信装置は、緊急警報放送を受信する放送受信部と、前記端末装置に対する緊急警報放送のリモート視聴を制御する視聴制御部と、前記端末装置から送られる位置情報を管理する端末位置情報管理部と、緊急警報放送の対象地域情報を管理する対象地域情報管理部と、前記位置情報と前記対象地域情報を照合して前記端末装置が前記対象地域に存在するかを判定する端末位置判定部と、を備える。そして、前記視聴制御部は、前記端末位置判定部により前記端末装置が前記対象地域に存在すると判定された場合、前記端末装置に緊急警報放送を視聴させる。【選択図】図２
2015226272.tif 000002
【特許請求の範囲】
【請求項１】
緊急警報放送を受信して、ペアリングされた端末装置に緊急警報放送の情報を送信する受信装置であって、
緊急警報放送を受信する放送受信部と、
前記端末装置に対する緊急警報放送のリモート視聴を制御する視聴制御部と、
前記端末装置から送られる位置情報を管理する端末位置情報管理部と、
緊急警報放送の対象地域情報を管理する対象地域情報管理部と、
前記位置情報と前記対象地域情報を照合して前記端末装置が前記対象地域に存在するかを判定する端末位置判定部と、
を備え、
前記視聴制御部は、前記端末位置判定部により前記端末装置が前記対象地域に存在すると判定された場合、前記端末装置に緊急警報放送をリモート視聴させることを特徴とする受信装置。
【請求項２】
前記対象地域情報は、緊急警報放送の信号をＰＭＴ解析することにより取得することを特徴とする請求項１に記載の受信装置。
【請求項３】
前記対象地域情報は、緊急警報放送のＡＣ信号により取得することを特徴とする請求項１に記載の受信装置。
【請求項４】
前記端末位置判定部は、前記照合の処理でリモート視聴を行う前記端末装置の優先度を決定し、
前記視聴制御部は、優先度の高い前記端末装置からリモート視聴をさせることを特徴とする請求項１から３のいずれか一項に記載の受信装置。
【請求項５】
緊急警報放送を受信して、ペアリングされた端末装置に緊急警報放送の情報を送信する受信装置におけるリモート視聴方法であって、
緊急警報放送を受信する放送受信ステップと、
前記端末装置に対する緊急警報放送のリモート視聴を制御する視聴制御ステップと、
前記端末装置から送られる位置情報を管理する端末位置情報管理ステップと、
緊急警報放送の対象地域情報を管理する対象地域情報管理ステップと、
前記位置情報と前記対象地域情報を照合して前記端末装置が前記対象地域に存在するかを判定する端末位置判定ステップと、
を備え、
前記視聴制御ステップは、前記端末位置判定ステップにより前記端末装置が前記対象地域に存在すると判定された場合、前記端末装置に緊急警報放送をリモート視聴させることを特徴とするリモート視聴方法。
【発明の詳細な説明】
【技術分野】
【０００１】
本発明は、緊急警報放送を受信して各端末装置へその情報を送信する受信装置及びリモート視聴方法に関する。
【背景技術】
【０００２】
近年、災害や事故等が発生した場合、放送局から緊急警報放送が送信される。これを受信したＴＶなどの受信装置が、さらに登録された携帯電話やタブレット端末などの端末装置に緊急警報放送の情報を送信するものが提案されている。
【０００３】
また、非特許文献１に記載があるように、受信装置が受信したデジタル放送コンテンツに対して、端末装置によるリモート視聴に必要な「リモート視聴要件」が整理されてきている。
【０００４】
特許文献１では、受信した緊急警報放送に含まれている情報が、アドレス記憶手段に記憶されている端末装置の地域情報に関連する場合は、ＴＶ（受信装置）が当該緊急警報放送の情報をその端末装置へ送信する技術が開示されている。
【先行技術文献】
【特許文献】
【０００５】
【特許文献１】特開２００５−２７７６３０号公報
【非特許文献】
【０００６】
【非特許文献１】「デジタル放送受信機におけるリモート視聴要件  ＮＥＸＴＶＦ  ＴＲ−０００１  １．０版」、次世代放送推進フォーラム  技術報告、一般社団法人  次世代放送推進フォーラム、２０１４年０２月１７日
【発明の概要】
【発明が解決しようとする課題】
【０００７】
しかしながら、特許文献１では、ＴＶが受信した緊急警報放送の情報とＴＶに予め記憶された各端末装置の地域情報に基づいて、緊急警報放送の情報を端末装置に送信するか否かを判断するので、緊急警報放送を受信した時点で、端末装置が実際に記憶された地域に存在するかどうかは分らない。そのため、ＴＶは、端末装置(ユーザ)が予め記憶された地域にいない場合であっても、緊急警報放送の情報を送信したり、又、端末装置(ユーザ)が緊急警報放送の情報が必要な地域にいる場合であっても、緊急警報放送の情報を送信しない可能性がある。
【０００８】
本発明は、斯かる実情に鑑み、緊急警報放送の情報が必要な地域に存在する端末装置に緊急警報放送の情報を送信する受信装置及びリモート視聴方法を提供することを目的とする。
【課題を解決するための手段】
【０００９】
本発明は、緊急警報放送を受信して、ペアリングされた端末装置に緊急警報放送の情報を送信する受信装置であって、緊急警報放送を受信する放送受信部と、前記端末装置に対する緊急警報放送のリモート視聴を制御する視聴制御部と、前記端末装置から送られる位置情報を管理する端末位置情報管理部と、緊急警報放送の対象地域情報を管理する対象地域情報管理部と、前記位置情報と前記対象地域情報を照合して前記端末装置が前記対象地域に存在するかを判定する端末位置判定部と、を備え、前記視聴制御部は、前記端末位置判定部により前記端末装置が前記対象地域に存在すると判定された場合、前記端末装置に緊急警報放送をリモート視聴させることを特徴とするものである。
【００１０】
ここで、前記対象地域情報は、緊急警報放送の信号をＰＭＴ解析することにより取得してもよいし、放送事業者が運用制御などのために利用するＡＣ（Auxiliary Channel）と呼ばれる伝送路を用いて緊急警報放送を送出する場合は、このＡＣ信号により取得してもよい。
【００１１】
また、前記端末位置判定部は、前記照合の処理でリモート視聴を行う前記端末装置の優先度を決定し、前記視聴制御部は、優先度の高い前記端末装置からリモート視聴をさせてもよい。
【００１２】
また、本発明は、緊急警報放送を受信して、ペアリングされた端末装置に緊急警報放送の情報を送信する受信装置におけるリモート視聴方法であって、緊急警報放送を受信する放送受信ステップと、前記端末装置に対する緊急警報放送のリモート視聴を制御する視聴制御ステップと、前記端末装置から送られる位置情報を管理する端末位置情報管理ステップと、緊急警報放送の対象地域情報を管理する対象地域情報管理ステップと、前記位置情報と前記対象地域情報を照合して前記端末装置が前記対象地域に存在するかを判定する端末位置判定ステップと、を備え、前記視聴制御ステップは、前記端末位置判定ステップにより前記端末装置が前記対象地域に存在すると判定された場合、前記端末装置に緊急警報放送をリモート視聴させることを特徴とするものである。
【発明の効果】
【００１３】
本発明によれば、緊急警報放送の情報の内容と各端末装置の現在位置とを照合して、緊急警報情報の対象地域に存在する端末装置に緊急警報放送の情報を送るので、緊急警報放送の情報を必要とする端末装置が、その放送を視聴することができる。
【図面の簡単な説明】
【００１４】
【図１】本発明に係る受信装置を有する緊急警報放送システムを示す概略図である。
【図２】受信装置の構成の一例を示すブロック図である。
【図３】緊急警報放送のシステムの第１実施形態における処理を示すシーケンス図である。
【図４】端末装置の位置情報管理テーブルの一例を示す図である。
【図５】緊急警報放送通知の地域コードから求めた対象地域情報を示す対象地域テーブルを示す図である。
【図６】緊急警報放送のシステムの第２実施形態における処理を示すシーケンス図である。
【図７】緊急警報放送のシステムの第３実施形態における処理を示すシーケンス図である。
【発明を実施するための形態】
【００１５】
以下、本発明の実施の形態を添付図面を参照して説明する。
【００１６】
図１は、本発明に係る受信装置を有する緊急警報放送システムを示す概略図である。
この緊急警報放送システムは、放送局１０、デジタル放送の受信装置（宅内のＴＶ）２０、インターネット３０、端末装置４０（たとえば、図に示すように、スマートホン４０ａ、タブレット４０ｂ、ノートＰＣ４０ｃ等）を備えている。
【００１７】
受信装置２０と各端末装置４０は、インターネット３０を介してリモート視聴できるように予めペアリングされている。受信装置２０は、ペアリングされた端末装置４０から間欠的に送信される位置情報を受信し、各端末装置４０の現在位置をリアルタイムに把握する。受信装置２０は、（テレビ視聴中あるいは録画中以外も）内部のチューナに定常的あるいは間欠的に電源を供給し、放送波のＴＭＣＣ（Transmission and Multiplexing Configuration and Control）の緊急警報放送起動フラグ（ＥＷＳ(Emergency Warning Signal)フラグ）を監視する。視聴中も緊急警報放送起動フラグの監視を行う。
【００１８】
受信装置２０は、緊急警報放送を検知すると、ペアリングされた端末装置４０の最新の位置情報から、当該緊急警報放送の情報を必要とする端末装置４０を抽出し、抽出された端末装置４０に対し、緊急警報放送受信要求メッセージを送信する。メッセージを受信した端末装置４０は、リモート視聴用のアプリケーションにより、緊急警報放送を視聴する。ペアリング中の端末装置４０以外から緊急警報放送のリモート視聴要求があった場合は、放送内容と端末位置情報により優先度を判断して、優先順にリモート視聴を許可する。
【００１９】
図２は、受信装置（ＴＶ）の構成の一例を示すブロック図である。
この受信装置２０は、チューナ（放送受信部）１１０、ＴＶ視聴制御部１２０、映像・音声出力部１３０、表示部１４０、スピーカ１５０、リモート端末緊急警報放送制御部１６０、リモート視聴制御部１７０、通信部１８０を備える構成である。
【００２０】
チューナ（放送受信部）１１０は、地上波あるいは衛星放送などの放送局１０から送信される放送波、及び緊急警報放送信号などをアンテナ等で受信して信号処理を行う。
【００２１】
ＴＶ視聴制御部１２０は、チューナ制御、ＴＳ解析等を行うところであり、ＴＭＣＣ・ＡＣ信号解析部１２１、ＴＳ−ＤＥＭＵＸ部１２２、ＰＳＩ／ＳＩ解析部１２３、チューナ制御部１２４を備える。
【００２２】
ＴＭＣＣ・ＡＣ信号解析部１２１は、チューナ１１０から取得するＴＭＣＣ（Transmission and Multiplexing Configuration and Control）信号やＡＣ（Auxiliary Channel）信号を解析し、緊急警報放送関連情報を取得する。ＴＳ−ＤＥＭＵＸ部１２２は、ＴＳ（Transport Stream）を分離し、パケット種別毎の処理部に振り分けを行う。ＰＳＩ／ＳＩ解析部１２３は、ＰＳＩ(Program Specific Information)・ＳＩ(Service Information)を解析する。本発明に関連する動作では、ＰＭＴ(Program Map Table)の緊急警報情報記述子から対象地域を抽出する。チューナ制御部１２４は、チューナの起動、終了、選局、情報読み出しを制御する。
【００２３】
映像・音声出力部１３０は、ＴＶ視聴制御部１２０から分離されたＴＳパケットを受け取り、映像・音声・字幕・データ放送等の出力処理を行うところであり、映像・音声処理部１３１、字幕・データ放送処理部１３２を備える。
【００２４】
映像・音声処理部１３１は、ＴＳパケットを処理して映像信号や音声信号を表示部１４０やスピーカ１５０に出力する。また字幕・データ放送処理部１３２も、ＴＳパケットを処理して字幕やデータを映像信号として表示部１４０に出力する。
【００２５】
表示部１４０は、映像信号等に応じた映像を表示するものであり、液晶や有機ＥＬなどの表示ディスプレイである。スピーカ１５０は、音声信号に応じた音声を出力する。
【００２６】
リモート端末緊急警報放送制御部１６０は、リモート端末装置４０にインターネット３０を介して緊急警報放送受信要求を送信し、緊急警報放送の視聴を促すところであり、端末位置情報管理部１６１、地図情報管理部１６２、緊急警報放送受信要求生成部１６４を備える。
【００２７】
端末位置情報管理部１６１は、端末装置４０から送信される位置情報を管理する。地図情報管理部１６２は、緊急警報放送時に放送波から抽出する対象地域の情報を地図情報として管理する。端末位置判定部１６３は、端末位置情報管理部１６１が管理する端末装置４０の位置情報と、地図情報管理部１６２が管理する緊急警報放送の対象地域情報である地図情報とを照合し、端末装置４０の位置が対象地域に含まれるかどうかを判定する。また、端末装置の位置からリモート視聴の優先度を決定する。緊急警報放送受信要求生成部１６４は、端末装置４０に送信する緊急警報放送受信要求のデータを生成し、送信する。
【００２８】
リモート視聴制御部１７０は、端末装置４０とのペアリングや送信ＴＳの暗号化等、リモート視聴に必要な機能を提供するところであり、端末管理部１７１、送信データ生成部１７２、リモート制御部１７３を備える。
【００２９】
端末管理部１７１は、ペアリングされた端末装置４０の管理（ＩＰアドレス管理等）を行う。送信データ生成部１７２は、端末装置４０へ送信するデータ（ＴＳを暗号化したデータや、制御情報等）を生成・送信する。リモート制御部１７３は、リモート端末装置４０から受信する制御データ（視聴開始指示、選局指示等）を解析し、ＴＶ視聴制御部１２０と連携してリモート視聴を実行する。
【００３０】
通信部１８０は、インターネット３０を介して各端末装置４０と通信を行う。
【００３１】
［第１実施形態］
図３は、緊急警報放送のシステムの第１実施形態における処理を示すシーケンス図である。第１実施形態においては、緊急警報放送対象エリアをＰＭＴで判断する場合を示している。受信装置２０は、緊急警報放送が開始されると、ＰＭＴに緊急警報情報記述子が配置されるので、緊急警報情報記述子には緊急放送の対象となる地域が記載されるため、その緊急警報情報記述子から警報放送の対象地域を得ることができ、端末装置４０の位置情報からその対象地域に存在する端末装置４０に緊急警報放送の情報を送信する。ここでは、対象地域に存在する端末装置は、端末装置１（４０ａ）とし、端末装置２（４０ｂ）は対象地域には存在しないものとする。
【００３２】
端末装置１（４０ａ），端末装置２（４０ｂ）は、ＧＰＳ等で得た位置情報を定期的に、あるいは前回通知位置から１００ｍ離れた場合等に、インターネット３０を介して受信装置２０に位置情報を通知する（Ｓ１、Ｓ３）。位置情報は、受信装置２０の通信部１８０から、リモート端末緊急警報放送制御部１６０の端末位置情報管理部１６１に入力され更新される（Ｓ２、Ｓ４）。
【００３３】
図４は、端末装置の位置情報管理テーブルの一例を示す図である。リモート端末緊急警報放送制御部１６０の端末位置情報管理部１６１は、図４のようなテーブルで各端末装置の位置情報を管理する。端末装置４０から位置情報が通知される度に更新され、ペアリングが済んでいるか、緯度と経度の値、更新時刻などの最新の位置情報が記録される。端末装置４０がＩＭＥＳ(Indoor MEssaging System)による屋内測位で高さ情報を取得できている場合には、高さ情報も管理される。ここでは６個の端末についての情報を示しているが、ＩＤ５，６は、ペアリングされていないため、位置情報は取得されていない。
【００３４】
また、ＴＶ視聴制御部１２０のチューナ制御部１２４は、チューナ１１０に常時電源を供給させ、定期的（数１００ｍｓ毎）にチューナ１１０にＴＭＣＣ情報取得を通知し、ＴＭＣＣ情報を取得する（Ｓ５）。ＴＭＣＣ・ＡＣ信号解析部１２１が、そのＴＭＣＣ情報を解析して緊急警報放送関連情報を取得する。チューナ制御部１２４が、間欠的にチューナＯＮ、ＴＭＣＣ情報確認、チューナＯＦＦ（緊急警報放送起動フラグ＝０の場合）を繰り返す動作としてもよい。
【００３５】
緊急警報放送起動フラグ＝１の場合、緊急警報放送が行われているので、ＴＶ視聴制御部１２０のチューナ制御部１２４は、ＴＳの取得を開始し（Ｓ６）、ＴＳを読みに行き、ＴＳパケットを取得する（Ｓ７）。ＴＳ−ＤＥＭＵＸ部１２２は、取得したＴＳパケットに対しＰＳＩ／ＳＩ部分を取り出し、ＰＳＩ／ＳＩ解析部１２３はＰＭＴの解析を行う（Ｓ８）。
【００３６】
ＴＶ視聴制御部１２０からリモート端末緊急警報放送制御部１６０への緊急警報放送通知を行う（Ｓ９）。緊急警報放送通知は、緊急警報放送が局所的な地域を対象としたものであることが判別できる場合は、その情報を通知する。この場合は、緊急警報放送が開始されると、ＰＭＴに緊急警報情報記述子が配置され、緊急警報情報記述子には、対象地域の地域コード（area_code）が１つ以上記載される。ＰＳＩ／ＳＩ解析部１２３は、抽出した対象地域の地域コードを出された対象地域の地域コードを、リモート端末緊急警報放送制御部１６０に送る。
【００３７】
対象地域の地域コードは、対象地域数をｎとすると、地域コードの配列｛ａ，ｂ，ｃ，・・・｝（配列要素数はｎ）となる。
【００３８】
リモート端末緊急警報放送制御部１６０の地図情報管理部１６２は、図４に示す位置情報管理テーブルの緯度、経度情報から、各ＩＤの端末装置が、緊急警報放送検知時にＴＶ視聴制御部１２０から送られる緊急警報放送通知の地域コード若しくは、対象地域情報のどれに当たるかを、受信装置内の地図データベースから（あるいは、インターネットを利用して）算出しておく。図５は、緊急警報放送通知の地域コードから求めた対象地域情報を示す対象地域テーブルを示す図である。
【００３９】
リモート端末緊急警報放送制御部１６０の端末位置判定部１６３は、登録された端末ＩＤ毎に、図４の位置情報と、図５の緊急警報放送対象地域の地図情報を照合し、リモート視聴受信要求を送信する端末を判定する。本実施形態では、受信装置２０とペアリングされた各端末装置４０ａ，４０ｂの最新の位置情報を端末位置情報管理部１６１から得て、抽出された対象地域の地域コードから緊急警報放送対象地域を特定し、これらを照合して、緊急警報放送対象地域に位置する端末装置を判定する（Ｓ１０）。尚、放送で、「緯度経度（ｘ，ｙ）を中心に半径ｚｍを対象」のような地域限定ができる場合は、距離を緯度、経度の数値に換算し、位置情報管理テーブルの緯度経度情報から直接対象端末の照合を行う。
【００４０】
緊急警報放送対象地域に存在する端末装置４０ａに対し、緊急警報放送受信要求生成部１６４は緊急警報放送受信要求のデータを生成して、端末装置４０ａに対し通信部１８０からインターネット３０を介して緊急警報放送受信要求を送信する（Ｓ１１）。
【００４１】
緊急警報放送受信要求を受信した端末装置４０ａは、リモート視聴専用アプリにより、視聴を開始するかユーザに確認を促す（音やバイブ、アイコンの表示等）。ユーザが視聴開始を指示すると（Ｓ１２）、端末装置４０ａは、受信装置２０のリモート視聴制御部１７０にリモート視聴要求を送信する（Ｓ１３）。リモート視聴制御部１７０のリモート制御部１７３は、リモート視聴要求に受けて、リモート視聴の実行を開始する（Ｓ１４）。ＴＶ視聴制御部１２０のチューナ制御部１２４はチューナからＮ個のＴＳパケットを取得し（Ｓ１５）、リモート視聴制御部１７０に送る（Ｓ１６）。リモート視聴制御部１７０の送信データ生成部１７２は、チューナ１１０から読み出したＴＳパケットを、決められたパケット数毎に暗号化（ＡＥＳ等）して（Ｓ１７）、通信部１８０からインターネット３０を介して端末装置４０ａに送信する（Ｓ１８）。
【００４２】
端末装置４０ａでは、受信した暗号化されたＴＳパケットを復号後解析して、視聴を行う（Ｓ１９）。
【００４３】
こうして、受信装置２０は、ＴＳパケットのＰＭＴ解析により得た緊急警報放送の情報の内容（対象地域の地域コード）と各端末装置の現在位置とを照合して、緊急警報情報の対象地域に存在する端末装置に緊急警報放送の情報を送るので、緊急警報放送の情報を必要とする端末装置が、その放送を視聴することができる。
【００４４】
［第２実施形態］
図６は、緊急警報放送のシステムの第２実施形態における処理を示すシーケンス図である。第２実施形態においては緊急警報放送対象地域をＡＣ信号で判断する場合を示している。「ＡＲＩＢ  ＳＴＤ  Ｂ−３１  地上デジタルテレビジョン放送の伝送方式  第３章」に示される、ＡＣ（Auxiliary Channel）信号を使用して緊急地震警報情報が伝送される場合である。なお、第１実施形態と同様に、本実施形態でも端末装置１（４０ａ）が対象地域に存在するものとし、端末装置２（４０ｂ）は対象地域には存在しないものとする。
【００４５】
図６のＳ２１〜Ｓ２５、Ｓ３６〜Ｓ３９は、図３のＳ１〜Ｓ５、Ｓ１６〜Ｓ１９と同様の処理であるので、説明は省略する。
【００４６】
Ｓ２５で取得したＴＭＣＣ情報より、緊急警報放送起動フラグ＝１の場合、緊急警報放送が行われているので、ＴＶ視聴制御部１２０のチューナ制御部１２４は、チューナ１１０に対しＡＣ信号の取得を通知し、ＡＣ信号の取得する（Ｓ２６）。そして、ＴＭＣＣ・ＡＣ信号解析部１２１がＡＣ信号解析を行う（Ｓ２７）。
【００４７】
ＡＣ信号では下記情報が伝送できることが規定されている。
・地震警報の対象地域
・震源の緯度・経度・深度
ＴＶ視聴制御部１２０は、チューナ１１０から取得したＡＣ信号を解析して上記の情報を抽出し、リモート端末緊急警報放送制御部１６０の地図情報管理部１６２に送る（Ｓ２８）。
【００４８】
Ｓ２８において行われる緊急警報放送通知は、以下のようなものとなる。
・対象地域情報：ＡＣ信号の送出規定で定義されるデータ列（全国を地域に分割し各地域毎にビット割り当てを行う。）
・震源の緯度経度（地震の場合）
・警報種別（未定義ビットを使用して警報種別：津波、地震、その他等が分る場合）
これら情報を地図情報管理部１６２は管理する。
【００４９】
リモート端末緊急警報放送制御部１６０の端末位置判定部１６３は、受信装置２０とペアリングされた各端末装置４０ａ，４０ｂの最新の位置情報を端末位置情報管理部１６１から得て、地図情報管理部１６２に管理されている対象地域の地域コードから緊急警報放送対象地域を特定し、これらを照合して、緊急警報放送対象地域に位置する端末装置を判定する（Ｓ２９）。
【００５０】
緊急警報放送対象地域に存在する端末装置４０ａに対し、緊急警報放送受信要求生成部１６４は緊急警報放送受信要求のデータを生成して、通信部１８０を通じてインターネット３０を介して緊急警報放送受信要求を送信する（Ｓ３０）。緊急警報放送受信要求は、ＡＣ信号から緊急警報情報を得る場合、震源位置等の情報も得られる。緊急警報放送受信要求時に対象地域や震源の情報も付加してもよい。
【００５１】
緊急警報放送受信要求を受信した端末装置４０ａは、リモート視聴専用アプリにより、視聴を開始するかユーザに確認を促す（音やバイブ、アイコンの表示等）。ユーザが視聴を許可すると（Ｓ３１）、端末装置４０ａは、受信装置２０のリモート視聴制御部１７０にリモート視聴要求を送信する（Ｓ３２）。リモート視聴制御部１７０のリモート制御部１７３は、リモート視聴要求に受けて、リモート視聴の実行の開始をＴＶ視聴制御部１２０に通知する（Ｓ３３）。
【００５２】
ＴＶ視聴制御部１２０のチューナ制御部１２４はＴＳの取得を開始し（Ｓ３４）、チューナ１１０にＴＳを読み出すよう通知し、ＴＳパケットを取得する（Ｓ３５）。
【００５３】
こうして、受信装置２０は、ＡＣ信号解析により得た緊急警報放送の情報の内容（対象地域の地域コード）と各端末装置の現在位置とを照合して、緊急警報情報の対象地域に存在する端末装置に緊急警報放送の情報を送るので、緊急警報放送の情報を必要とする端末装置が、その放送を視聴することができる。
【００５４】
［第３実施形態］
図７は、緊急警報放送のシステムの第３実施形態における処理を示すシーケンス図である。第３実施形態においては、複数の端末装置４０から緊急警報放送のリモート視聴があった場合を示している。本実施形態では同時に１台でしかリモート視聴できない場合であり、端末装置の位置により視聴の優先順位をつける。
【００５５】
ここでは、受信装置２０のリモート視聴制御部１７０が、端末装置２（４０ｂ）からのリモート視聴要求によって、ＴＶ視聴制御部１２０に対し、リモート視聴開始指示を送る前に、端末装置１（４０ａ）からのリモート視聴要求を受信した場合を例としている。既に端末装置２（４０ｂ）でリモート視聴が開始されている状態で、優先度の高い端末装置１（４０ａ）からのリモート視聴要求があった場合は、端末装置２（４０ｂ）への放送配信を停止し（端末装置２にはリモート視聴待機指示を送信）、端末装置１（４０ａ）に放送配信を行う。
【００５６】
緊急警報対象地域内に複数の端末がある場合は、受信装置２０のリモート端末緊急警報放送制御部１６０の緊急警報放送受信要求生成部１６４は、通信部１８０から複数の端末装置に向けて緊急警報放送受信要求が送信される（Ｓ４１、Ｓ４３）。既にリモート視聴中の端末があっても、対象地域内の端末には緊急警報放送受信要求を送信する。
【００５７】
緊急警報放送受信要求を受信した端末装置４０ａ，４０ｂは、リモート視聴専用アプリにより、視聴を開始するかユーザに確認を促す（音やバイブ、アイコンの表示等）。ユーザが視聴を許可して視聴を開始すると（Ｓ４２、Ｓ４４）、緊急警報放送受信要求を受信した複数の端末装置４０ａ，４０ｂは、受信装置２０のリモート視聴制御部１７０にリモート視聴要求を送信する（Ｓ４５，Ｓ４６）。
【００５８】
複数の端末装置からリモート視聴要求がある場合は、リモート視聴制御部１７０のリモート制御部１７３が、リモート端末緊急警報放送制御部１６０の端末位置判定部１６３に対し、リモート視聴の優先度の問い合わせを行う（Ｓ４７）。
【００５９】
端末位置判定部１６３は、優先度の判定を行う（S４８）。ＰＭＴ解析やＡＣ信号で緊急警報情報を取得する場合のように、地震の震源の緯度経度が分る場合、あるいは警報種別が判別できる場合は、端末装置４０の位置情報、高さから算出できる震源からの距離、端末所在地の高さから、どの端末装置４０が最も緊急警報情報を必要としているか判断し、その端末装置４０が優先的にリモート視聴できるようにする。緊急警報放送受信要求の送出順も、この優先度に従ってもよい。このように優先度に応じて優先順位ができる。
【００６０】
端末位置判定部１６３は、リモート視聴制御部１７０のリモート制御部１７３に優先する端末装置のＩＤを返す（Ｓ４９）。この場合は、端末装置１（４０ａ）を優先端末装置と判定し、端末装置４０ａのＩＤを返す。
【００６１】
リモート視聴制御部１７０のリモート制御部１７３は、リモート視聴要求に受けて、リモート視聴の実行の開始をＴＶ視聴制御部１２０に通知する（Ｓ５０）。
【００６２】
また、リモート制御部１７３は、優先度の低い端末装置２（４０ｂ）に対してはインターネット３０を介して、リモート視聴待機指示を送信する（Ｓ５１）。これにより、端末装置２（４０ｂ）のリモート視聴アプリは、他の優先度の高い端末が視聴していることによる待機状態であることをユーザに知らせることができる。
【００６３】
ＴＶ視聴制御部１２０のチューナ制御部１２４はＴＳの取得を開始し（Ｓ５２）、チューナ１１０にＴＳを読み出すよう通知し、ＴＳパケットを取得する（Ｓ５３）。
Ｓ５４〜Ｓ５７は、図３のＳ１６〜Ｓ１９と同様の処理なので、説明は省略する。
【００６４】
なお、同時複数台の視聴も可能な場合もあるが、これも優先順位に従って順に視聴をすることができる。
【００６５】
こうして、受信装置２０は、緊急性を有する優先度の高い端末装置４０からリモート視聴を行うので、緊急性を有する端末装置４０の視聴が後回しになるということがなくなる。
【００６６】
コンピュータが読み出したプログラムコードを実行することによって、前述した実施形態の機能が実現される他、そのプログラムコードの指示に基づき、コンピュータ上で稼動しているＯＳなどが実際の処理の一部または全部を行ない、その処理によっても前述した実施形態の機能が実現され得る。
【００６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によっても前述した実施形態の機能が実現され得る。
【００６８】
なお、本発明は、前述した実施形態の機能を実現するソフトウエアのプログラムコードを記録した記憶媒体から、そのプログラムを、インターネット又はイントラネット等の通信ネットワークを介して要求者にそのプログラムを配信する場合にも適用できる。
【００６９】
以上、この発明の実施形態を図面を参照して詳述してきたが、具体的な構成はこれらの実施形態に限られるものではなく、この発明の要旨を逸脱しない範囲の設計変更等された発明も含まれる。
【符号の説明】
【００７０】
１０    ：放送局
２０    ：受信装置
３０    ：インターネット
４０    ：端末装置
１１０  ：チューナ
１２０  ：ＴＶ視聴制御部
１２１  ：ＴＭＣＣ・ＡＣ信号解析部
１２２  ：ＴＳ−ＤＥＭＵＸ部
１２３  ：ＰＳＩ／ＳＩ解析部
１２４  ：チューナ制御部
１３０  ：映像・音声出力部
１３１  ：映像・音声処理部
１３２  ：字幕・データ放送処理部
１４０  ：表示部
１５０  ：スピーカ
１６０  ：リモート端末緊急警報放送制御部
１６１  ：端末位置情報管理部
１６２  ：地図情報管理部
１６３  ：端末位置判定部
１６４  ：緊急警報放送受信要求生成部
１７０  ：リモート視聴制御部
１７１  ：端末管理部
１７２  ：送信データ生成部
１７３  ：リモート制御部
１８０  ：通信部
【図１】
2015226272.tif 000003
【図２】
2015226272.tif 000004
【図３】
2015226272.tif 000005
【図４】
2015226272.tif 000006
【図５】
2015226272.tif 000007
【図６】
2015226272.tif 000008
【図７】
2015226272.tif 000009